(57)【要約】【課題】加熱状態の扉を開いて作業をするときに、扉の端部に腕を接触させて火傷しないよう改良したオーブンの扉の構造を提供する。【解決手段】扉１１の開成時に扉１１の端部１１ａに沿って並立するガード板１３と、前記扉１１の開閉に伴って前記ガード板１３を回動させるために設けられる回動手段とを有するオーブンの扉１１の構造である。【選択図】図２
2007322005.tif 000002
【特許請求の範囲】
【請求項１】
オーブンの扉の構造であって、
該扉の開成時に扉の端部に沿って並立するガード板と、
前記扉の開閉に伴って前記ガード板を回動させるために設けられる回動手段と
を有することを特徴とするオーブンの扉の構造。
【請求項２】
前記回動手段は、
前記ガード板の基部が接続する回動シャフトと、
該回動シャフトに一端部が連結するワイヤと、
前記ワイヤが係合する滑車装置と、
前記ワイヤの他端部が連結すると共に前記扉を回動自在に支持する回動軸と
から少なくとも構成されることを特徴とする請求項１に記載のオーブンの扉の構造。
【請求項３】
前記回動シャフトの端部には、スプリング装置が設けられていること
を特徴とする請求項２に記載のオーブンの扉の構造。
【発明の詳細な説明】
【技術分野】
【０００１】
本発明は、オーブンの扉の構造に関するものであり、更に詳しくは、加熱状態の扉を開いて作業をするときに、この扉の端部に腕を接触させて火傷しないよう改良した、オーブンの扉の構造に関するものである。
【背景技術】
【０００２】
従来のオーブンとしては、図５に示すような多段式のオーブン１が知られている。このオーブン１は、炉を有するユニット２を複数段重ねた状態に設置しており、それぞれのユニット２ごとに扉３が設けられている。また、扉３の前面側には把手４が設けられており、中央部には二重構造の断熱ガラス５が設けられている（特許文献１、２参照）。
【０００３】
このような構成のオーブン１の扉３の構造について説明する。図６及び図７に示すように、扉３の下部には、回動軸６が設けられており、この回動軸６の両端部が軸受け７、軸受け７により回動自在に支持されている。
【０００４】
また、回動軸６の一端部とユニット２の上部との間には、扉スプリング８が接続している。この扉スプリング８は、扉３の開閉時において開閉力又は制動力を回動軸６に付与して、扉３の開閉操作をスムーズにおこなう役割を果たしている。
【特許文献１】意匠登録第１１２８４８２号公報
【特許文献２】特開２００４−２６７１０３号公報
【発明の開示】
【発明が解決しようとする課題】
【０００５】
この従来例の多段式のオーブン１においては、加熱状態の扉３を開いて作業をするときに（図７参照）、この扉３の端部３ａに腕などを接触させて火傷を負うおそれがある。特に下段から３段目程度よりも上段のユニット２を使用するときには、腕を前方に高く伸ばして作業をするので、扉３の端部３ａに腕を接触させやすいこととなる。また、女性など小柄で身長の低い人ほど腕をいっそう高く伸ばす必要があるので、扉３の端部３ａに腕を接触させやすく火傷事故のおそれが高くなる。
【０００６】
従って、従来例における多段式のオーブン１においては、前方に伸ばした腕を扉３の端部３ａに接触させて火傷を負う事故を防止することに解決しなければならない課題を有している。
【課題を解決するための手段】
【０００７】
前記従来例の課題を解決する具体的手段として本発明は、オーブンの扉の構造であって、該扉の開成時に扉の端部に沿って並立するガード板と、前記扉の開閉に伴って前記ガード板を回動させるために設けられる回動手段とを有することを特徴とするオーブンの扉の構造を提供するものである。
【０００８】
また、前記回動手段は、前記ガード板の基部が接続する回動シャフトと、該回動シャフトに一端部が連結するワイヤと、前記ワイヤが係合する滑車装置と、前記ワイヤの他端部が連結すると共に前記扉を回動自在に支持する回動軸とから少なくとも構成されることとしたものである。
【０００９】
そして、前記回動シャフトの端部には、スプリング装置が設けられている構成としたものである。
【発明の効果】
【００１０】
本発明に係るオーブンの扉の構造は、オーブンの扉の構造であって、該扉の開成時に扉の端部に沿って並立するガード板と、前記扉の開閉に伴って前記ガード板を回動させるために設けられる回動手段とを有することによって、加熱状態の扉を開いて作業をするときに、扉の端部にガード板が並立しているので、腕などを端部に接触させて火傷を負う事故を防止できるという優れた効果を奏する。
【００１１】
また、回動手段は、前記ガード板の基部が接続する回動シャフトと、該回動シャフトに一端部が連結するワイヤと、前記ワイヤが係合する滑車装置と、前記ワイヤの他端部が連結すると共に前記扉を回動自在に支持する回動軸とから少なくとも構成されることによって、扉を開くと回動軸の回動に伴いワイヤの他端部が引っ張られる。同時にワイヤの一端部が引っ張られて回動シャフトを回動させるので、扉の開成時にガード板が扉の端部に沿って並立する。
また、扉を閉めると回動軸の回動に伴いワイヤの他端部が押し出される。同時にワイヤの一端部が押し出されて回動シャフトを回動させるので、扉の閉成時にガード板が扉の端部に沿って倒伏する。つまり、扉の開閉に伴ってガード板が回動して並立又は倒伏するという優れた効果を奏する。
【００１２】
そして、回動シャフトの端部には、スプリング装置が設けられていることによって、回動シャフトを回動方向に付勢するので、ガード板の回動がスムーズであるという優れた効果を奏する。
【発明を実施するための最良の形態】
【００１３】
次に、本発明の実施の形態について図面を参照しながら説明する。なお、理解容易のため、従来例に対応する部分には従来例と同一の符号を付けて説明する。
【００１４】
まず、図１から図３において、符号１１はオーブンの扉を示し、この扉１１は、従来例のものと同様に、前面側に把手４が設けられており、また、中央部には二重構造の断熱ガラス５が設けられている。そして、扉１１の下部には、回動軸６が設けられており、この回動軸６の両端部が、軸受け７、軸受け７により回動自在に支持されている。
【００１５】
更に、従来例のものと同様に、回動軸６の一端部とユニットの上部との間には、図示しない扉スプリングが接続しており、この扉スプリングが、扉１１の開閉時において開閉力又は制動力を回動軸６に付与して、扉１１の開閉操作をスムーズにしている（図６参照）。
【００１６】
扉１１及び該扉１１に隣接する枠部１２には、図１から図３に示すように、ガード板１３と、このガード板１３を扉１１の開閉に伴って回動させるために設けられる回動手段とを有する。ガード板１３は、扉１１の開成時に扉１１の端部１１ａに沿って並立し（図２参照）、閉成時に扉１１の端部１１ａに沿って倒伏する（図１参照）。
【００１７】
回動手段は、ガード板１３の基部１３ａが連結する回動シャフト１４と、回動シャフト１４に一端部１５ａが連結するワイヤ１５と、ワイヤ１５が係合する滑車装置１７と、ワイヤ１５の他端部１５ｂが連結すると共に扉１１を回動自在に支持する回動軸６とから構成されている。
【００１８】
ガード板１３は、アルミニウム板又は耐熱性の合成樹脂板で形成されており、図４に示すように、扉１１の端部１１ａに沿って並立できる横長の板状に形成されている。また、ガード板１３の表面には、複数の孔部１３ｃが設けられており、この孔部１３ｃの存在によってガード板１３の軽量化及び放熱性の向上が図られている。更に、図１に示すように、ガード板１３の先端部１３ｂはＬ字状に折曲しており、また、ガード板１３の基部１３ａは、ネジ止め等の保持手段１９により回動シャフト１４が連結している。
【００１９】
回動シャフト１４は、図３に示すように、所定の長さを有し、端部近傍において軸受け２０、軸受け２０により回動自在に支持されている。また、回動シャフト１４の一方の端部には、スプリング装置１８が設けられており、他方の端部は、ワイヤ１５の一端部１５ａが連結部２１を介して連結している。
【００２０】
スプリング装置１８は、スプリング１８ａの一端部１８ｂが回動シャフト１４の一方の端部に取り付けられ、また、スプリング１８ａの他端部１８ｃがスプリング止めカラー１８ｄに取り付けられ、このスプリング止めカラー１８ｄが扉１１の所定部位に取り付けられてなる。
【００２１】
このように構成されたスプリング装置１８は、図１に示すように、回動シャフト１４を矢印Ｄ方向に付勢している。従って、回動シャフト１４を矢印Ｄ方向にスムーズに回動させることができるのである。なお、スプリング止めカラー１８ｄの回動操作で付勢力を適宜に調整できるようになっている。
【００２２】
ワイヤ１５は、前述のように、一端部１５ａが回動シャフト１４に連結部２１を介して連結しており、途中で滑車装置１７に係合して、他端部１５ｂが回動軸６に連結部２２を介して連結している。
【００２３】
滑車装置１７は、図３に示すように、プーリー１７ａと、このプーリー１７ａに延設されるシャフト１７ｂと、このシャフト１７ｂを回動自在に保持するブラケット１７ｃと、シャフト１７ｂの端部に設けられるカラー１７ｄとを有しており、ブラケット１７ｃが枠部１２にネジ１６止め手段で固定されている。このような構成の滑車装置１７は、ワイヤ１５をプーリー１７ａに係合させており、回動軸６の回動に伴うワイヤ１５の引張力を低減している。
【００２４】
回動軸６は、所定の長さを有し、前述のように、扉１１の下部に設けられており、この回動軸６の両端部が、軸受け７、軸受け７により回動自在に支持されている。また、回動軸６は、ワイヤ１５の他端部１５ｂを連結部２２を介して連結しており、回動軸６の回動に伴って、ワイヤ１５を矢印Ａ方向に引っ張り、又は矢印Ｂ方向に押し出すようになっている。
【００２５】
以上のように構成された回動手段は、扉１１を開くと回動軸６が矢印Ａ方向に回動し、これに伴ってワイヤ１５の他端部１５ｂが矢印Ａ方向に引っ張られる。同時にワイヤ１５の一端部１５ａが矢印Ｃ方向に引っ張られて、これに伴い回動シャフト１４を矢印Ｃ方向に回動させ、扉１１の開成時にガード板１３が扉１１の端部１１ａに沿って並立する（図２参照）。従って、加熱状態の扉１１を開いて作業をするときに、扉１１の端部１１ａに腕など接触させて火傷を負うことがない。
【００２６】
また、扉１１を閉めると回動軸６が矢印Ｂ方向に回動し、これに伴ってワイヤ１５の他端部１５ｂが矢印Ｂ方向に押し出される。同時にワイヤ１５の一端部１５ａが矢印Ｄ方向に押し出されて、これに伴い回動シャフト１４を矢印Ｄ方向に回動させ、扉１１の閉成時にガード板１３が扉１１の端部１１ａに沿って倒伏する（図１参照）。この場合、ガード板１３は扉１１から所定の間隔を開けて離隔するので、熱くならないのである。なお、回動シャフト１４は、スプリング装置１８によって矢印Ｄ方向に付勢されているので、回動シャフト１４の回動がスムーズである。
【図面の簡単な説明】
【００２７】
【図１】扉１１を閉成した状態を示す側面の縦断面図である。
【図２】扉１１を開成した状態を示す側面の縦断面図である。
【図３】回動手段の要部を説明する、扉１１の正面図である。
【図４】ガード板１３の正面図である。
【図５】従来例に係る多段式のオーブン１の斜視図である。
【図６】従来例に係るオーブン１の扉３の構造を説明する正面図である。
【図７】従来例に係るオーブン１の扉３の構造を説明する側面の縦断面図である。
【符号の説明】
【００２８】
１    オーブン
２    ユニット
３    扉
３ａ  端部
４    把手
５    断熱ガラス
６    回動軸
７    軸受け
８    扉スプリング
１１  扉
１１ａ端部
１２  枠部
１３  ガード板
１３ａ基部
１３ｂ先端部
１３ｃ孔部
１４  回動シャフト
１５  ワイヤ
１５ａ一端部
１５ｂ他端部
１７  滑車装置
１６  ネジ
１７ａプーリー
１７ｂシャフト
１７ｃブラケット
１７ｄカラー
１８  スプリング装置
１８ａスプリング
１８ｂ一端部
１８ｃ他端部
１８ｄスプリング止めカラー
１９  保持手段
２０  軸受け
２１  連結部（プーリー）
２２  連結部（プーリー）
【図１】
2007322005.tif 000003
【図２】
2007322005.tif 000004
【図３】
2007322005.tif 000005
【図４】
2007322005.tif 000006
【図５】
2007322005.tif 000007
【図６】
2007322005.tif 000008
【図７】
2007322005.tif 000009